(57)【特許請求の範囲】
【請求項１】
ユーザー端末を利用する小児の健康管理システムにおいて、
前記ユーザー端末から送信された小児の状態情報と小児の周辺環境情報を保存する保存部； 
前記保存部に保存された小児の状態情報と周辺環境情報に基づいて小児の健康状態を分析する健康状態分析部；及び
前記健康状態分析部による分析の結果に応じて、ユーザーの対応策を導き出す対応策導出部を含み、
前記小児の状態情報は、小児の体温情報と小児の症状情報を含み、前記小児の状態情報は、小児に対して実施される投薬情報をまたは応急処置情報を更に含み、前記小児の症状情報は、小児から観察されてユーザーによって入力された症状に関する情報であり、
前記対応策導出部は、薬剤のタイプ、投薬量及び薬剤の服用間隔を導出して薬剤の投薬方法を提供し、
前記健康状態分析部の小児の健康状態に対する分析結果が応急状況である場合、救急処置室の訪問方法を提示する、
小児の健康管理システム。
【請求項２】
小児の周辺環境情報は、小児の親のうち少なくとも一つの体温情報を含む、請求項１に記載の小児の健康管理システム。
【請求項３】
前記保存部は前記ユーザー端末から送信された小児の身体情報をさらに保存し、
前記健康状態分析部は保存された小児の状態情報、小児の周辺環境情報及び小児の身体情報に基づいて小児の健康状態を分析する、請求項１に記載の小児の健康管理システム。
【請求項４】
前記保存部は外部の個人健康記録サーバから送信された小児の個人健康記録（ＰＨＲ）をさらに保存し、
前記健康状態分析部は保存された小児の状態情報、小児の周辺環境情報及び小児の個人健康記録に基づいて小児の健康状態を分析する、請求項１に記載の小児の健康管理システム。
【請求項５】
小児の状態情報と小児の周辺環境情報は、前記ユーザーから前記ユーザー端末に直接入力されたり、前記ユーザー端末と連動した外部センサから前記ユーザー端末に送信された後、前記ユーザー端末から前記小児の健康管理システムで送信される、請求項１に記載の小児の健康管理システム。
【請求項６】
前記保存部を制御する制御部をさらに含み、
前記制御部は、前記ユーザー端末からの要請に応じて、前記保存部に保存された小児の状態情報と小児の周辺環境情報が外部機器に送信されるように制御する、請求項１に記載の小児の健康管理システム。
【請求項７】
ユーザー端末を利用する小児の健康管理方法において、
前記ユーザー端末から送信された小児の状態情報と小児の周辺環境情報を保存する段階；
保存された小児の状態情報と小児の周辺環境情報に基づいて小児の健康状態を分析する段階；及び
小児の健康状態についての分析の結果に応じて、ユーザーの対応策を導き出す段階を含み、
前記小児の状態情報は、小児の体温情報と小児の症状情報を含み、前記小児の状態情報は、小児に対して実施される投薬情報をまたは応急処置情報を更に含み、前記小児の症状情報は、小児から観察されてユーザーによって入力された症状に関する情報であり、
前記対応策を導き出す段階は、薬剤のタイプ、投薬量及び薬剤の服用間隔を導出して薬剤の投薬方法を提供し、
前記健康状態分析部の小児の健康状態に対する分析結果が応急状況である場合、救急処置室の訪問方法を提示する、
小児の健康管理方法。
【発明の詳細な説明】
【技術分野】
【０００１】
本発明は、小児の健康管理システム及び小児の健康管理方法に関するもので、より詳細には、小児に対する情報に基づいて、小児の健康状態を分析し、対応策を提供することができる小児の健康管理システム及び小児の健康管理方法に関するものである。
【背景技術】
【０００２】
病院が運営されている平日の昼間や土曜日の午前には、患者が体に異常を感じた場合、病院にすぐに訪問して、医療サービスを受けることができるので、医療の空白の問題がない。しかし、平日の夜や土曜日の午後、日曜日には救急処置室を除いた病院施設の運営が中断される。もちろん、患者が救急処置室を訪問し、治療を受けることができるが、限られた数の救急処置室だけ運営されているのが実情であるため、近くに救急処置室がないか、救急処置室に行くのに状況がままならない場合が発生することもあり得る。また、発熱によって痛みを感じる場合のように、救急処置室に行くかどうかについて明確な判断がつかない場合もあり得る。
【０００３】
この場合、人々は普及した医療書籍を参照するか、個人のブログなどのウェブページに記載されている医学の知識やＳＮＳ（Ｓｏｃｉａｌ  Ｎｅｔｗｏｒｋｉｎｇ  Ｓｅｒｖｉｃｅ）やオンラインコミュニティを介して共有されている医学の知識を参照にして対応策を用意する。そして、必要に応じて一般人も簡単に利用できる医療器具を利用したりする。
【発明の概要】
【発明が解決しようとする課題】
【０００４】
患者が成人であれば、自らが自分の体の状態を判断することができ、身体的に免疫力を有しているので、大衆化された医学の知識などに基づいて対処をしても、健康上の大きな無理がないこともあり得る。
【０００５】
しかし、患者が小児である場合、特にコミュニケーションが円滑でない嬰児及び幼児であれば、患者が自分の体の状態についての表現及び判断をすることが難しく、非専門家の親が小児の状態を判断することも難しい。そして、小児は成人に比べて免疫力が弱いので、親の判断に応じて対応する場合、誤った対応により、小児の健康状態を悪化させることもあり得る。例えば、小児に解熱剤を飲ませようとしても、いかなる種類の解熱剤を飲ますべきか、解熱剤をどの程度の容量で飲ますべきかなどについて判断をしなければならなので、親が正しく対応することは容易ではない。
【０００６】
前記のような問題から案出された本発明が解決しようとする技術的課題は、小児についての情報に基づいて小児の健康状態を分析し、分析の結果に応じた対応策を提供することができる小児の健康管理システム及び小児の健康管理方法を提供しようとするものである。
【０００７】
本発明が解決しようとする他の技術的課題は、小児の健康状態を分析し、これによる対応策を導き出す際に、小児の状態情報だけでなく、小児の周辺環境情報などのさまざまな要素（ｆａｃｔｏｒ）をさらに考慮することにより、判断の正確性を高めることができる小児の健康管理システム及び小児の健康管理方法を提供しようとするものである。
【０００８】
本発明が解決しようとするもう他の技術的課題は、小児の状態情報と小児の周辺環境情報を継続的に入力して保存して、保存された情報を医療専門家に提供することにより、小児が小児の健康管理システムを介して、医療専門家と相談をしたり、その後病院で診察を受けるとき、医療専門家が十分な情報に基づいて、正しい医学的判断を下すことができるようする小児の健康管理システム及び小児の健康管理方法を提供しようとするものである。
【０００９】
本発明の技術的課題は、以上で言及した技術的課題に限定されず、言及されていない他の技術的課題は、以下の記載から当業者に明確に理解されるだろう。
【課題を解決するための手段】
【００１０】
前記の技術的課題を解決するための本発明の一実施形態に係る小児の健康管理システムは、ユーザー端末を利用する小児の健康管理システムにおいて、前記ユーザー端末から送信された小児の状態情報と小児の周辺環境情報を保存する保存部；前記保存部に保存された小児の状態情報と周辺環境情報に基づいて小児の健康状態を分析する健康状態分析部；及び前記健康状態分析部による分析の結果に応じてユーザーの対応策を導き出す対応策導出部を含む。
【００１１】
前記の技術的課題を解決するための本発明の一実施形態に係る小児の健康管理の方法は、ユーザー端末を利用する小児の健康管理方法において、前記ユーザー端末から送信された小児の状態情報と小児の周辺環境情報を保存する段階；保存された小児の状態情報と小児の周辺環境情報に基づいて小児の健康状態を分析する段階；及び小児の健康状態についての分析の結果に応じて、ユーザーの対応策を導き出す段階を含む。
【発明の効果】
【００１２】
前記のような本発明によれば、小児に対する情報に基づいて小児の健康状態を分析し、分析の結果に応じた対応策を提供することができる。
【００１３】
また、本発明によれば、小児の健康状態を分析し、これに応じた対応策を導き出す際に、小児の状態情報だけでなく、小児の周辺環境情報などのさまざまな要素（ｆａｃｔｏｒ）をさらに考慮することにより、判断の正確性を高めることができる。
【００１４】
そして、本発明によれば、小児の状態情報と小児の周辺環境情報を継続的に入力して保存して、保存された情報を医療専門家に提供することにより、小児が小児の健康管理システムを介して、医療専門家と相談をしたり、その後病院で診察を受けるとき、医療専門家が十分な情報に基づいて、正しい医学的判断を下すことができる。
【図面の簡単な説明】
【００１５】
【図１】本発明の一実施形態に係る小児の健康管理システムの利用環境を概略的に示す図面である。
【図２】本発明の一実施形態に係る小児の健康管理システムを概略的に示す図面である。
【図３】図２の保存部の概略的な構成を示す図面である。
【図４】本発明の一実施形態に係る小児の健康管理システムの情報の送信及び受信を説明するための図面である。
【図５】本発明の一実施形態に係る小児の健康管理方法を説明するためのフローチャートである。
【図６】本発明の他の実施形態に係る小児の健康管理方法を説明するためのフローチャートである。
【図７】本発明のもう他の実施形態に係る小児の健康管理方法を説明するためのフローチャートである。
【発明を実施するための形態】
【００１６】
以下、添付された図面を参照して、本発明の好ましい実施形態を詳細に説明する。本発明の利点および特徴、そしてそれらを達成する方法は添付される図面と一緒に詳細に後述されている実施形態を参照すると明確になる。しかし、本発明は、以下で掲示される実施形態に限定されるものではなく、異なる多様な形態で具現されることができ、単に本実施形態は、本発明の掲示が完全であるようにして、本発明が属する技術分野で通常の知識を有する者に発明の範疇を完全に知らせるために提供されるものであり、本発明は、請求項の範疇によって定義されるだけである。明細書全体にわたって同一の参照符号は同一の構成要素を指す。
【００１７】
他に定義がなければ、本明細書にて使用される全ての用語（技術および科学的用語を含む）は、本発明に属する技術分野の通常の技術者に共通的に理解できる意味として使用されることができる。また、辞書にて定義された一般的に使用される用語は、特に明確な定義をしない限り、過度に解釈されない。
【００１８】
本明細書にて使用される用語は、実施形態を説明するためのものであり、本発明を制限するものではない。本明細書で単数型は、特に言及しない限り、複数型も含む。明細書にて使用される「含む（ｃｏｍｐｒｉｓｅｓ）」および／または「含んでいる（ｃｏｍｐｒｉｓｉｎｇ）」は、言及された構成要素外に一つ以上の他の構成要素の存在または追加を排除しない。また、明細書で使用される「部」は、ハードウェアまたはソフトウェアに構成することができるが、これに限定されない。
【００１９】
以下、図面を参照して、本発明の実施形態に係る小児の健康管理システム及び小児の健康管理方法について説明する。
【００２０】
まず、図１乃至図４を参照して、本発明の一実施形態に係る小児の健康管理システム１を説明する。図１を参照すると、本発明の一実施形態に係る小児の健康管理システム１の利用環境を概略的に示す図面が開示され、図２を参照すると、本発明の一実施形態に係る小児の健康管理システム１を概略的に示す図面が開示され、図３を参照すると、図２の保存部２０の概略的な構成を示す図面が開示され、図４を参照すると、本発明の一実施形態による小児の健康管理システム１の情報の送信及び受信を説明するための図面が開示される。
【００２１】
まず、図１を参照すると、本発明の一実施形態に係る小児の健康管理システム１は、データベース及びサーバーの役割を果たすことができ、ユーザー端末１００を利用するものであって、ネットワークを介してユーザー端末１００と接続することができる。つまり、小児の健康管理システム１は、ユーザー端末１００から監視の対象となる小児に対する情報を受けることができ、受けた情報を分析し、小児の健康状態を分析することができ、分析の結果に応じたユーザーの対応策を導き出し、これをユーザー端末１００に提供することができる。ただし、小児の健康管理システム１とユーザー端末１００との間の通信のために様々な種類の有線通信及び無線通信を利用することができ、利用されるネットワークは制限されない。
【００２２】
ユーザー端末１００は、小児の健康管理システム１との情報交換が可能な電子機器として、例えば携帯電話（ｃｅｌｌｕｌａｒ  ｐｈｏｎｅ）、スマートフォン（ｓｍａｒｔ  ｐｈｏｎｅ）、ＰＤＡ（Ｐｅｒｓｏｎａｌ  Ｄｉｇｉｔａｌ  Ａｓｓｉｓｔａｎｔ）、ＰＭＰ（Ｐｏｒｔａｂｌｅ  Ｍｕｌｔｉ−ｍｅｄｉａ  Ｐｌａｙｅｒ）、タブレット（ｔａｂｌｅｔ）ＰＣ、パーソナルコンピュータ、ラップトップコンピュータ、または無線通信デバイスに具現することができるが、これに限定されない。小児の健康管理システム１との接続のために、ユーザー端末１００には小児の健康管理システム１のための専用プログラム（または専用のアプリケーション）をインストールすることができるが、これに限定されず、ユーザー端末１００はウェブを介して小児の健康管理システム１に接続することもできる。
【００２３】
小児に対する情報を得るために、ユーザー端末１００は様々な外部センサ２００と連動することができ、連動した外部センサ２００から検出される情報を受けることができる。例えば、ユーザー端末１００が体温計２００ａと連動した場合、体温計２００ａは小児または親の体温情報を測定し、測定された体温情報を、ネットワークを介して、小児の健康管理システム１に送信することができる。しかし、ユーザー端末１００と連動することができる装置は、体温計２００ａなどの外部センサ２００に制限されず、小児の状態情報または周辺環境情報を提供することができるすべてのデバイスが、前述した専用プログラム（または専用のアプリケーション）によってユーザー端末１００に連動することができる。したがって、小児の健康管理システム１はユーザー端末１００を利用してさまざまな情報を収集することができる。
【００２４】
ただし、ユーザー端末１００は、ユーザー端末１００と連動した外部センサ２００から検出された情報を受けることに加えて、ユーザー１１０からユーザー端末１００への情報が直接入力されることができる。つまり、ユーザー１１０は、小児の状態情報、小児の周辺環境情報及び小児の身体情報などをユーザー端末１００に入力することができる。例えば、ユーザー１１０が体温計２００ａを利用して、小児の体温を測定した後、測定された体温情報をユーザー端末１００に直接入力するか、またはユーザー１１０が小児の症状を観察し小児の症状情報をユーザー端末１００に入力することもできる。したがって、小児の状態情報と小児の周辺環境情報などは、ユーザー１１０からユーザー端末１００に直接入力したり、ユーザー端末１００と連動した外部センサ２００からユーザー端末１００に送信された後、ユーザー端末１００から小児の健康管理システム１に送信することができる。
【００２５】
一方、本明細書では、ユーザー１１０は、例えば、小児の親を含む小児の世話をする保護者でありえるが、これらに限定されない。そして、ユーザー端末１００は、連動した外部センサ２００またはユーザー１１０から提供された情報を、ネットワークを介して、小児の健康管理システム１に送信することができる。
【００２６】
以下、図２を参照して、本発明の一実施形態に係る小児の健康管理システム１を説明する。
【００２７】
図２を参照すると、小児の健康管理システム１は、受信部１０、保存部２０、健康状態分析部３０、対応策導出部４０、制御部５０及び送信部６０を含むことができる。ただし、図２に図示された構成要素が欠かせないわけではなく、それよりも多くの構成要素を有するか、それより少ない構成要素を有する小児の健康管理システム１を具現することもできる。
【００２８】
受信部１０は、ユーザー端末１００から送信される情報を受信することができる。例えば、受信部１０は、ユーザー端末１００から小児の状態情報と小児の周辺環境情報などを含む小児に対する情報を受信することができる。ただし、受信部１０のユーザー端末１００から受信した情報はこれに限定されず、必要に応じて、ユーザー端末１００から送信されるログイン情報を受信することもできる。そして、受信部１０は、後述する個人健康記録（ＰＨＲ：Ｐｅｒｓｏｎａｌ  Ｈｅａｌｔｈ  Ｒｅｃｏｒｄ）サーバー３００または外部機器４００からの情報を受信することもできる。
【００２９】
受信部１０は、例えば、データの受信のための一種の通信モジュールでありえるが、これに限定されない。
【００３０】
保存部２０は、ユーザー端末１００から送信された小児の状態情報と小児の周辺環境情報を保存することができる。このほか、保存部２０は、ユーザー端末１００から送信された小児の身体情報及び個人健康記録サーバ３００から送信された小児の個人健康記録（ＰＨＲ）、そして小児の健康状態の分析と対応策の導出時に参照する参照資料などをさらに保存することができるが、保存部２０に保存される情報はこれに限定されない。
【００３１】
図３を参照すると、保存部２０は、状態情報保存部２１、環境情報保存部２２、個人健康記録保存部２４、身体情報保存部２３及び参照資料保存部２５を含むことができる。ただし、図３に図示された構成要素が欠かせないわけではなく、それよりも多くの構成要素を有するか、それより少ない構成要素を有する保存部２０を具現することもできる。
【００３２】
状態情報保存部２１は、ユーザー端末１００から送信された小児の状態情報を保存することができる。小児の状態情報は、小児の現在の状態に関する情報として、例えば小児の体温情報と小児の症状情報を含むことができる。小児の症状情報は、嘔吐、下痢、咳などの監視の対象となる小児から観察される症状に関する情報でありえる。ただし、小児の状態情報は、これに限定されず、ユーザーが小児に対して行った投薬情報または応急処置情報を含むこともできる。
【００３３】
本発明の実施形態に係る小児の健康管理システム１は、小児の体温情報に加えて、小児の症状に関する情報を保存しているので、単純に小児の体温情報だけを考慮して、小児の健康状態に対する分析を行うのに比べて十分な情報に基づいて小児の健康状態を分析し、対応策を導き出すことができる。したがって、小児の健康管理システム１が提供する情報の信頼性を高めることができる。
【００３４】
また、本発明の実施形態に係る小児の健康管理システム１によると、小児の体温情報が継続的に保存することができるので、体温の変動が時間の流れに従って記録される体温のグラフが生成されることができる。
【００３５】
環境情報保存部２２は、ユーザー端末１００から送信された小児の周辺環境情報を保存することができる。周辺環境情報は、小児の健康状態に影響を与えることができる要素に関する情報として、例えば小児の親のうち少なくとも一つの体温情報を含むことができ、この他に周囲の温度、湿度、騒音の程度、時間、日付などを含むことができるが、これに限定されない。
【００３６】
本発明の実施形態に係る小児の健康管理システム１によると、環境情報保存部２２によって、小児の周辺環境情報が保存されるので、小児がいかなる環境に曝されたかについての情報を得ることができる。したがって、小児の健康状態に影響を与える様々な要素を考慮して、立体的な分析が可能である。また、ユーザー１１０が小児の健康管理システム１を介して、医療専門家と相談する場合、医療専門家に小児の周辺環境情報を提供することができるので、医療専門家が客観的な情報を介して、小児の健康状態を診断することができる。
【００３７】
例えば、本発明の一実施形態に係る小児の健康管理システム１によると、保存部２０が、小児の体温情報だけを有するのではなく、小児の親の体温情報を有している。体温は利用される体温計の特性に応じて、偏差が生じることができる。したがって、小児の体温情報だけを有している場合には、体温計の特性または異常の有無に対する判断ができない。しかし、本実施形態によれば、小児の親の体温情報が保存されているので、親の体温情報との相対的な比較をして体温計の信頼性についての客観的な判断が可能である。
【００３８】
身体情報保存部２３は、ユーザー端末１００から送信された小児の身体情報を保存することができる。小児の身体情報は、例えば、年齢（または月数）、身長及び体重など小児の身体に関する情報を含むことができる。
【００３９】
本発明の一実施形態に係る小児の健康管理システム１によると、保存部２０に小児の身体情報が保存されているので、小児の身体情報に応じた健康状態の分析や対応策の導出が可能である。例えば、小児は年齢（または月数）に応じて、身体的な特性が異なることができるので、これらの点を考慮して、投薬量を調節することができる。
【００４０】
個人健康記録保存部２４は、図４を参照すると、個人健康記録サーバ３００から送信された小児の個人健康記録を保存することができる。個人健康記録は、個人のすべての健康情報を集めた記録として、個人の病歴や治療履歴などに関する情報を含むことができる。個人健康記録は、これを管理する個人健康記録サーバ３００に保存されて管理されることができ、小児の健康管理システム１は個人健康記録サーバ３００から小児の個人健康記録を受信して保存することができる。したがって、本発明の一実施形態に係る小児の健康管理システム１は、個人健康記録を通じて、小児の既往歴に関する情報を得ることができるので、これを参照して、小児の健康状態を分析する際に考慮すべき要素を定めることができ、対応策を導き出す時にも、個人健康記録を参照することができる。
【００４１】
参照資料保存部２５は、参照資料を保存することができ、参照資料は後述する健康状態分析部３０で小児の健康状態を分析するか、または対応策導出部４０で小児の健康状態に応じた対応策を導き出す際に参照することができる。例えば、参照資料は、小児の体温及び症状に対応する小児の健康状態がルックアップテーブル（ＬＵＴ：Ｌｏｏｋ−Ｕｐ  Ｔａｂｌｅ）の形で保存されることができ、小児の健康状態に応じたユーザーの対応策もルックアップテーブルの形で保存されることができるが、これに限定されない。
【００４２】
健康状態分析部３０は、保存部２０に保存された小児の状態情報と周辺環境情報に基づいて小児の健康状態を分析することができる。ただし、保存部２０に小児の身体情報と小児の個人健康記録などがさらに保存された場合、健康状態分析部３０は、小児の身体情報と小児の個人健康記録を一緒に考慮して、小児の健康状態を分析することができる。
【００４３】
具体的には、健康状態分析部３０は、小児の健康状態を分析するために保存部２０に保存された情報を処理し、処理された情報を利用して、小児の健康状態を分析することができる。保存された情報を処理することは、小児の健康状態を分析しやすいように保存された情報を加工したり配列したりすることを含むことができる。例えば、健康状態分析部３０は、小児の体温情報の時間帯別の変化を検出することができ、これにより、小児の体温がどのように変化したかと変化の傾向を把握することができる。また、いくつかの実施形態では、健康状態分析部３０は小児の体温情報と一緒に、親の体温情報または周辺の温度、湿度などの環境的な要因を考慮することができる。
【００４４】
小児の健康状態を分析することは保存された情報、または処理された情報を利用して、小児の健康に異常があるかどうかを判断するものであって、疑われる疾患や病名を導き出すことができ、緊急を要するかどうかを判断することもできる。小児の健康状態分析のために参照資料が使用されることができ、例えば、健康状態分析部３０は保存された情報または処理された情報に対応する小児の健康状態を導き出すことができる。
【００４５】
本発明の一実施形態に係る小児の健康管理システム１によると、単純に小児の体温情報のみ利用されるものではなく、周辺環境情報が利用されて小児がいかなる状況に曝されているかを考慮することができ、小児の身体情報を介して、小児の年齢、体重、および身長などが考慮されることができ、小児の個人健康記録を通して、小児の既往歴などを考慮することができる。したがって、本発明の一実施形態に係る小児の健康管理システム１は、一つの要素だけを考慮して、小児の健康状態を分析するのではなく、可能な様々な要素を考慮して、小児の健康状態を客観的に分析することができる。
【００４６】
対応策導出部４０は、健康状態分析部３０による小児の健康状態についての分析の結果に応じて、ユーザーの対応策を導き出すことができる。対応策導出部４０で導出されるユーザーの対応策は、小児の世話をするユーザー１１０が行うことができる方法として、例えば、解熱剤服用方法のように、医師の処方なしに服用することができる薬剤の投与方法であるか、冷湿布のように、ユーザーが小児に対して行うことができる救急処置方法でありえる。
【００４７】
解熱剤服用方法を例に挙げて具体的に説明すると、対応策導出部４０は、小児の身体情報を考慮して、ある程度の解熱剤を投与するかについての情報を具体的に提供することができ、水薬、丸薬及び座薬の中のいずれのタイプの解熱剤を小児に投与させることが望ましいかについての情報も提供することができ、この他に解熱剤の服用間隔についての情報も提供することができる。つまり、本発明の一実施形態に係る小児の健康管理システム１によると、ユーザー１１０に簡単に指示を提供するだけではなく、具体的な対応策を提供するので、ユーザー１１０が難なく対応策を行うことができる。
【００４８】
また、対応策導出部４０は、ユーザーの救急処置室の訪問の方法を導き出すことができる。健康状態分析部３０による分析の結果、緊急を要すると判断され、医療専門家による精密診断や治療が必要な場合、対応策導出部４０は、ユーザー１１０が救急処置室に訪問することを対応策に提示することができる。これに加え、対応策導出部４０は、ユーザー端末１００が位置している地域に近いところに位置する救急処置室の情報を提供することもできる。
【００４９】
一方、図４を参照すると、ユーザー１１０が救急処置室を訪問する場合、ユーザー端末１００から小児の情報を提供してほしいという要求がある場合、制御部５０は、保存部２０に保存された小児に対する情報をユーザー端末１００に提供するか、ユーザー１１０が指定する外部サーバまたは外部端末などの救急処置室に関連する外部機器４００に小児に対する情報を提供することができる。
【００５０】
一方、健康状態分析部３０によって分析された分析の結果と、対応策導出部４０によって導き出した対応策は、制御部５０の制御により送信部６０からユーザー端末１００に送信されることができ、ユーザー１１０はこれらの情報をディスプレーまたは音声で確認することができる。
【００５１】
制御部５０は、保存部２０を含む小児の健康管理システム１の各構成を制御することができる。例えば、制御部５０は、ユーザー端末１００から保存部２０に保存された小児に対する情報の要求がある場合、送信部６０を介して保存部２０に保存された情報をユーザー端末１００に送信することができる。例えば、小児の体温情報の要求がある場合は、制御部５０は、送信部６０を介してユーザー端末１００に保存された小児の体温情報を送信することができるので、それに応じて、ユーザー端末１００に時間の流れに従って変動する小児の体温情報が表示されることができる。
【００５２】
そして、制御部５０は、ユーザー端末１００からの要請に応じて、保存部２０に保存された小児に対する情報を、ユーザー端末１００を介して指定した外部機器４００に送信することができるので、病院とのＥＭＲ（Ｅｌｅｃｔｒｏｎｉｃ  Ｍｅｄｉｃａｌ  Ｒｅｃｏｒｄ）の連動が可能で医師に診察のための十分な情報を提供することができる。
【００５３】
また、ユーザー端末１００から医療専門家との相談サービスに対する要求がある場合は、制御部５０は医療専門家と接続した外部機器４００を、ユーザー端末１００と接続させることができる。これにより、ユーザー１１０は、ユーザー端末１００を介して、医療専門家に相談を行うことができる。そして、必要に応じて、制御部５０は、保存部２０に保存された小児に対する情報を医療専門家と接続した外部機器４００に提供することにより、医療専門家が十分な情報を有して相談を行うことができる。
【００５４】
一方、制御部５０は、一定時間ごとに小児の体温情報を含む小児に対する情報を測定することができるように送信部６０を介してユーザー端末１００に通知を送信することができる。これにより、ユーザー端末１００は、外部センサ２００に測定された情報の送信を要求するか、ユーザー１１０に情報の入力を要求することができる。
【００５５】
送信部６０は、例えば、データの送信のための一種の通信モジュールでありえて、制御部５０の制御により、小児の健康管理システム１に保存された情報を外部機器に送信することができる。
【００５６】
続いて、図５を参照して、本発明の一実施形態に係る小児の健康管理方法を説明する。図５を参照すると、本発明の一実施形態に係る小児の健康管理方法を説明するためのフローチャートが開示される。ただし、本発明の一実施形態に係る小児の健康管理システム１の技術的な特徴が、本発明の一実施形態に係る小児の健康管理方法に適用されることができるので、重複する事項については説明を省略する。
【００５７】
まず、図５を参照すると、ユーザー端末１００は、小児の状態情報または小児の周辺環境情報を検出する外部センサ２００と連動することができる（Ｓ１０）。ユーザー端末１００と連動する外部センサ２００は制限がなく、連動によりユーザー端末１００は様々な情報を受信することができる。
【００５８】
続いて、ユーザー１１０は、直接入力を介してユーザー端末１００に小児に対する情報を提供して、外部センサ２００は、検出された情報を、ネットワークを介してユーザー端末１００に提供することができる（Ｓ２０）。
【００５９】
続いて、ユーザー端末１００は、ユーザー１１０または外部センサ２００から提供された小児に対する情報を小児の健康管理システム１に送信することができる（Ｓ３０）。
【００６０】
続いて、小児の健康管理システム１は、ユーザー端末１００から送信された小児の状態情報と小児の周辺環境情報などを保存することができる（Ｓ４０）。ただし、ユーザー端末１００から送信された小児の身体情報などが小児の健康管理システム１にさらに保存されることができ、必要に応じて個人健康記録サーバ３００から送信された小児の個人健康記録が小児の健康管理システム１０にさらに保存されることができる。
【００６１】
続いて、小児の健康管理システム１は、保存された小児の状態情報と小児の周辺環境情報に基づいて小児の健康状態を分析することができる（Ｓ５０）。必要に応じて、小児の身体情報または個人健康記録が小児の健康状態の分析に利用されることができる。
【００６２】
続いて、小児の健康管理システム１は、小児の健康状態についての分析の結果に応じて、ユーザーの対応策を導き出すことができる（Ｓ６０）。
【００６３】
続いて、小児の健康管理システム１からユーザー端末１００にユーザーの対応策が送信されることができる（Ｓ７０）。ただし、必要に応じて、分析された小児の健康状態の分析の結果も小児の健康管理システム１からユーザー端末１００に提供されることができる。
【００６４】
これにより、ユーザー１１０は、ユーザー端末１００に送信された対応策を活用することができる。
【００６５】
続いて、図６を参照して、本発明の他の実施形態に係る小児の健康管理方法を説明する。図６を参照すると、本発明の他の実施形態に係る小児の健康管理方法を説明するためのフローチャートが開示される。ただし、本発明の一実施形態に係る小児の健康管理方法との相違点を中心に説明する。
【００６６】
図６を参照すると、ユーザー端末１００は、小児の健康管理システム１の小児に対する情報をユーザー端末１００または指定された外部機器４００に送信することを要請することができる（Ｓ１１０）。
【００６７】
これにより、小児の健康管理システム１は、保存された小児に対する情報をユーザー端末１００または指定された外部機器４００に送信することができる（Ｓ１２０）。
【００６８】
続いて、図７を参照して、本発明の他の実施形態に係る小児の健康管理方法を説明する。図７を参照すると、本発明の他の実施形態に係る小児の健康管理方法を説明するためのフローチャートが開示される。ただし、本発明の一実施形態に係る小児の健康管理方法との相違点を中心に説明する。
【００６９】
図７を参照すると、ユーザー端末１００は、小児の健康管理システム１に医療専門家との相談を要請することができる（Ｓ２１０）。
【００７０】
続いて、小児の健康管理システム１は、指定された医療専門家が接続した外部機器４００に相談を要請して、相談対象の小児について保存された情報を送信することができる（Ｓ２２０）。
【００７１】
これにより、小児の健康管理システム１は、ユーザー端末１００と外部機器４００との間で相談内容を送信及び受信することにより（Ｓ２３０）、ユーザー１１０は、小児の健康管理システム１を介して、医療専門家に小児の健康状態及び対応策についての相談を受けることができる。
【００７２】
以上、添付された図面を参照して、本発明の実施形態を説明したが、本発明に属する技術分野の通常の技術者は、本発明がその技術的思想や必須的な特徴を変更しないで、他の具体的な形態へ実施できることを理解できるだろう。従って、以上にて記述した実施形態は、全ての面で例示的なものであり、制限的でないこととして理解すべきである。
【符号の説明】
【００７３】
１０：受信部
２０：保存部
３０：健康状態分析部
４０：対応策導出部
５０：制御部
６０：送信部
【図１】
0006325696.tif 000002
【図２】
0006325696.tif 000003
【図３】
0006325696.tif 000004
【図４】
0006325696.tif 000005
【図５】
0006325696.tif 000006
【図６】
0006325696.tif 000007
【図７】
0006325696.tif 000008